(57)【特許請求の範囲】
【請求項１】
利用者によって提示された乗車券を撮像する撮像部と、
前記利用者に対して情報を出力する出力部と、
前記撮像部により撮像された画像から、第１の表示オブジェクトを認識し、前記第１の表示オブジェクトから得られる電子情報を復号して前記乗車券の効力情報を取得する第１の認識部と、
前記撮像部により撮像された画像から、前記乗車券における前記第１の表示オブジェクトが表示された第１面とは異なる第２面であって、前記乗車券に関する効力情報がエンコードされる磁気層が形成された前記第２面に表示された第２の表示オブジェクトを認識し、前記第２の表示オブジェクトから得られる電子情報を復号して前記第２面が提示されたことを示す第２面提示情報を取得する第２の認識部と、
前記第１の認識部によって前記効力情報が取得された場合、前記第１の認識部により取得された前記効力情報に基づいて、前記利用者の入場または出場を許可するか否かを判定し、前記第２の認識部によって前記第２面提示情報が取得された場合、前記乗車券の第２面が提示されたことを示す情報を前記出力部に出力させる制御部と、
を備える自動改札機。
【請求項２】
第１の認識部により前記第１の表示オブジェクトが認識されない場合、第２の認識部が前記第２の表示オブジェクトの認識を試行し、前記第２の表示オブジェクトが認識されない場合、第２の認識部が画像の輝度の高低を反転させて、再度前記第２の表示オブジェクトの認識を行う、
請求項１記載の自動改札機。
【請求項３】
第１の認識部により前記第１の表示オブジェクトが認識されない場合、前記第２の認識部が、画像の輝度の高低を反転させて前記第２の表示オブジェクトの認識を試行し、前記第２の表示オブジェクトが認識されない場合、前記第２の認識部が画像の輝度を反転させずに再度前記第２の表示オブジェクトの認識を行う、
請求項１記載の自動改札機。
【請求項４】
第１の認識部により前記第１の表示オブジェクトが認識されない場合、第２の認識部が画像の輝度を反転させずに第２の表示オブジェクトを認識する処理と、画像の輝度を反転させて第２の表示オブジェクトを認識する処理とが切替可能である、
請求項１乃至請求項３のうちいずれか一項記載の自動改札機。
【請求項５】
前記第２の認識部は、前記乗車券の第２面において、前記磁気層とは異なる光の反射率を有する色材で表現された第２の表示オブジェクトを、前記撮像部により撮像された画像の輝度の高低を反転させることで、前記磁気層を背景として描画された前記第２の表示オブジェクトを認識する、
請求項２乃至請求項４のうちいずれか一項記載の自動改札機。
【請求項６】
前記第２の認識部は、前記乗車券の第２面において、前記磁気層とは異なる光の反射率を有する部分を背景として、前記背景とは異なる光の反射率の色材で表現された前記第２の表示オブジェクトを認識する、
請求項２乃至５のうちいずれか一項記載の自動改札機。
【請求項７】
前記第２の認識部は、前記撮像部により撮像された画像から、前記第２の表示オブジェクトの始点を示す第１の空白部分と、前記第２の表示オブジェクトの終点を示す第２の空白部分とを認識し、前記第１の空白部分と前記第２の空白部分との間において、１次元の規則で形成された第２の表示オブジェクトから前記電子情報を取得する、
請求項６項記載の自動改札機。
【請求項８】
前記第１の認識部は、前記撮像部により撮像された画像から、２次元の規則で形成された前記第１の表示オブジェクトを認識し、
前記第２の認識部は、前記撮像部により撮像された画像から、１次元の規則で形成された前記第２の表示オブジェクトを認識する、
請求項１乃至請求項７のうちいずれか一項記載の自動改札機。
【請求項９】
自動改札機の制御コンピュータに、
撮像部により撮像された乗車券の画像から、第１の表示オブジェクトを認識し、前記第１の表示オブジェクトから得られる電子情報を復号して前記乗車券の効力情報を取得する第１の処理と、
前記撮像部により撮像された乗車券の画像から、前記乗車券における前記第１の表示オブジェクトが表示された第１面とは異なる第２面であって、前記乗車券に関する効力情報がエンコードされる磁気層が形成された前記第２面に表示された第２の表示オブジェクトを認識し、前記第２の表示オブジェクトから得られる電子情報を復号して前記第２面が提示されたことを示す第２面提示情報を取得する第２の処理と、
前記第１の処理によって前記効力情報が取得された場合、前記第１の処理により取得された前記効力情報に基づいて、利用者の入場または出場を許可するか否かを判定する第３の処理と、
前記第２の処理によって前記第２面提示情報が取得された場合、前記乗車券の第２面が提示されたことを示す情報を出力部に出力させる第４の処理と、
を実行させるプログラム。
【請求項１０】
乗車券の効力情報が符号化された第１の表示オブジェクトが表示された第１面と、
前記第１面とは異なる第２面であって、前記乗車券に関する効力情報がエンコードされた磁気層が形成され、前記乗車券の第２面が提示されたことを示す情報が符号化された第２の表示オブジェクトが表示された第２面と、
を備える乗車券。
【請求項１１】
前記第２面には、前記磁気層とは異なる光の反射率を有する色材で表現された第２の表示オブジェクトが表示される、
請求項１０記載の乗車券。
【請求項１２】
前記第２面には、前記磁気層とは異なる光の反射率を有する部分を背景として前記磁気層または前記背景とは異なる光の反射率の色材で表現された前記第２の表示オブジェクトが表示される、
請求項１０又は請求項１１記載の乗車券。
【請求項１３】
前記第１面には、２次元の規則で形成された前記第１の表示オブジェクトが表示され、
前記第２面には、１次元の規則で形成された前記第２の表示オブジェクトが表示される、
請求項１０乃至請求項１２のうちいずれか一項記載の乗車券。
【請求項１４】
切断されることで乗車券となる乗車券用紙であって、
乗車券の効力情報が符号化された２次元の規則で形成された第１の表示オブジェクトが印刷される第１面であって、券媒体単位で異なる第１の表示オブジェクトが印刷される第１面と、
前記第１面とは異なる第２面であって、前記乗車券の効力情報が書き込まれる磁気層が形成され、前記乗車券の第２面が提示されたことを示す情報が符号化された１次元の規則で形成された第２の表示オブジェクトが、前記乗車券用紙の長手方向に沿って表示された第２面と、
を備える前記乗車券用紙。
【請求項１５】
乗車券を撮像する撮像部と、
自動改札機の上面に設けられる上面表示部と、
前記撮像部により撮像される画像から、第１の表示オブジェクトを認識した場合、前記第１の表示オブジェクトから得られる電子情報を復号して得られる前記乗車券の効力情報に基づいて適否を判定し、前記撮像部により撮像される画像から、前記乗車券における前記第１の表示オブジェクトが設けられる第１面とは異なる第２面であって、前記乗車券に関する効力情報がエンコードされる磁気層が形成された前記第２面に設けられる第２の表示オブジェクトを認識した場合、前記乗車券の第２面が提示されたことを示す情報を前記上面表示部に表示させる制御部と、
を備える前記自動改札機。
【請求項１６】
乗車券を撮像する撮像部と、
情報を出力する出力部と、
前記撮像部により撮像される画像から、第１の表示オブジェクトを認識した場合、前記第１の表示オブジェクトから得られる電子情報を復号して得られる前記乗車券の効力情報に基づいて適否を判定し、前記撮像部により撮像される画像から、前記乗車券における前記第１の表示オブジェクトが設けられる第１面とは異なる第２面であって、前記乗車券に関する効力情報がエンコードされる磁気層が形成された前記第２面に設けられる第２の表示オブジェクトを認識した場合、前記乗車券の第２面が提示されたことを示す情報を前記出力部に出力させる制御部と、
を備える自動改札機。
【発明の詳細な説明】
【技術分野】
【０００１】
本発明の実施形態は、自動改札機、プログラム、乗車券、および乗車券用紙に関する。
【背景技術】
【０００２】
従来、鉄道等の交通機関等を利用するための乗車券を処理する自動改札機が知られている。乗車券としては、磁気券やＩＣ券の他、符号化されたコード情報が表示された紙券が使用される。コード情報が表示された紙券が利用される場合、コード情報が表示されていない面が、誤って自動改札機の光学読取部に提示されることが想定される。このとき、自動改札機の側から利用者に対して、乗車券のコード情報が表示されていない面が提示されたことを通知することができず、利用者にとって利便性が低い場合があった。
【先行技術文献】
【特許文献】
【０００３】
【特許文献１】特開２０１４−１８２４３２号公報
【発明の概要】
【発明が解決しようとする課題】
【０００４】
本発明が解決しようとする課題は、利用者の利便性を向上させることができる自動改札機、プログラム、乗車券、および乗車券用紙を提供することである。
【課題を解決するための手段】
【０００５】
実施形態の自動改札機は、撮像部と、出力部と、第１の認識部と、第２の認識部と、制御部とを持つ。撮像部は、利用者によって提示された乗車券を撮像する。出力部は、前記利用者に対して情報を出力する。第１の認識部は、前記撮像部により撮像された画像から、第１の表示オブジェクトを認識し、前記第１の表示オブジェクトから得られる電子情報を復号して前記乗車券の効力情報を取得する。第２の認識部は、前記撮像部により撮像された画像から、前記乗車券における前記第１の表示オブジェクトが表示された第１面とは異なる第２面であって、前記乗車券に関する効力情報がエンコードされる磁気層が形成された前記第２面に表示された第２の表示オブジェクトを認識し、前記第２の表示オブジェクトから得られる電子情報を復号して前記第２面が提示されたことを示す第２面提示情報を取得する。制御部は、前記第１の認識部によって前記効力情報が取得された場合、前記第１の認識部により取得された前記効力情報に基づいて、前記利用者の入場または出場を許可するか否かを判定し、前記第２の認識部によって前記第２面提示情報が取得された場合、前記乗車券の第２面が提示されたことを示す情報を前記出力部に出力させる。
【図面の簡単な説明】
【０００６】
【図１】自動改札機１０を上方から見た図。
【図２】リーダ１２を上方から見た図。
【図３】自動改札機１０の機能構成を示す図。
【図４】乗車券ＴＩＸの第１面の一例を示す図。
【図５】第１の表示オブジェクトＯＢ１に符号化された乗車券ＴＩＸの効力情報の一例を示す図。
【図６】乗車券ＴＩＸの第２面の一例を示す図。
【図７】別の乗車券ＴＩＸ＃の第２面の一例を示す図。
【図８】自動改札機１０により実行される処理の流れを示すフローチャート。
【図９】上面表示部２０に表示される画像ＩＭの一例を示す図。
【図１０】第２の実施形態の自動改札機１０により実行される処理の流れを示すフローチャート。
【図１１】第３の実施形態の自動改札機１０により実行される処理の流れを示すフローチャート。
【図１２】発券機１００の機能構成の一例を示す図。
【図１３】第２の表示オブジェクトＯＢ２が表示されたロール紙Ｒの一例を示す図。
【図１４】自動改札機１０Ａ、発券機１００およびサーバ装置２００の関係を示す図。
【発明を実施するための形態】
【０００７】
以下、実施形態の自動改札機、プログラム、乗車券、および乗車券用紙を、図面を参照して説明する。自動改札機は、例えば駅の改札口に設けられる。自動改札機は、発券機により発行される乗車券ＴＩＸによって、利用者の通過を許可または禁止する。乗車券ＴＩＸは、利用者が駅構内に入場する際、または駅構外に出場する際に使用される。本実施形態における乗車券ＴＩＸは、例えばバーコード等の一次元コードや、ＱＲコード（登録商標）等の二次元コードといった表示オブジェクトが、紙などの媒体に印刷されると共に、印刷面の裏面に磁気券として機能するための磁気層が形成された紙券である。表示オブジェクトは、機械によって内容が認識可能であると共に、人が視認することによって内容が認識できないものであれば如何なる態様であってもよい。
【０００８】
このような態様の乗車券ＴＩＸは、表示オブジェクトを認識して利用者の通過を制御する自動改札機と、磁気券の磁気層から情報を読み取って利用者の通過を制御する自動改札機とが混在する環境において、好適に使用される。すなわち、この乗車券ＴＩＸを使用して鉄道を利用する利用者は、上記のうち一方の自動改札機しか設置されていない駅であっても入場および出場を行うことができる。
【０００９】
（第１の実施形態）
図１は、自動改札機１０を上方から見た図である。自動改札機１０は、筐体１１と、リーダ１２と、通過センサ１８−１から１８−４と、上面表示部２０と、正面表示部２２と、扉部２４Ａおよび２４Ｂと、制御部５０とを含んでよいが、これに限られない。
【００１０】
自動改札機１０のリーダ１２は、図１のａ方向に通過しようとする利用者によって提示された乗車券ＴＩＸに表示された表示オジェクトを読み取って、読み取った情報を制御部５０に供給する。前述した磁気券専用の自動改札機については、実施例の特徴的な処理を行うものではないため図示および説明を省略する。磁気券と表示オブジェクトとを処理する併用機の場合、例えば磁気券と表示オブジェクトとのうち、利用者の好む方で使用されてよい。
【００１１】
図２は、リーダ１２を上方から見た図である。リーダ１２は、タッチ検出センサＳｔと、光学読取部１４と、ライト１６とを含んでよいが、これに限られない。タッチ検出センサＳｔは、パネル状に形成され、利用者の体の一部（例えば手）が触れたか否かを検出する検出面を有する。タッチ検出センサＳｔは、利用者が乗車券ＴＩＸをリーダ１２に提示する際にパネルの検出面に手を触れた場合に、検出面がタッチされている旨を示す検出信号を生成する。これにより、タッチ検出センサＳｔは、利用者によって乗車券ＴＩＸがリーダ１２に提示されたことを検出する。
【００１２】
タッチ検出センサＳｔは、例えば、抵抗膜型や、表面弾性波型、電磁誘導型、静電容量型等のタッチパネルである。また、タッチ検出センサＳｔは、可視光を透過可能な透明（または半透明）型のパネルであり、これを透過した表示オブジェクトの撮像を可能とする。なお、自動改札機１０は、タッチ検出センサＳｔに代えて、対象物（例えば手）の接近を検出する接近検出センサにより、利用者によって乗車券ＴＩＸがリーダ１２に提示された（利用者の手が所定距離以内まで接近した）ことを検出する構成を有してもよい。接近検出センサは、例えば、赤外線センサやステレオカメラ等により実現される。
【００１３】
光学読取部１４は、ＣＣＤ（Charge Coupled Device）やＣＭＯＳ（Complementary Metal Oxide Semiconductor）等の固体撮像素子を備えたカメラを含む。また、光学読取部１４は、バーコードリーダのように受光素子と増幅器、情報解読部（デコード部）等を備えるものであってもよい。
【００１４】
光学読取部１４は、利用者によって、リーダ１２に表示面を向けて提示された乗車券ＴＩＸに表示された表示オブジェクトを撮像する。光学読取部１４は、撮像した画像を制御部５０に供給する。ライト１６は、光学読取部１４が乗車券ＴＩＸを撮像する際に、乗車券ＴＩＸに向けて光を照射する。
【００１５】
通過センサ１８−１から１８−４は、例えば自動改札機１０の通路側の側面に複数設けられる。複数の通過センサ１８は、自動改札機１０により形成された通路内の利用者を検出する。通過センサ１８は、例えば赤外線センサや、光センサなどで実現される。通過センサ１８は、対向する補機に設けられた通過センサと連携して通路内の利用者を検出するものであってもよい。なお、自動改札機１０は、任意の数の通過センサを備えてよい。以下、通過センサを他の通過センサと区別しない場合は、ハイフン（−）以下の符号を省略し、単に通過センサ１８と表記する。
【００１６】
上面表示部２０は、リーダ１２に乗車券ＴＩＸが提示された場合に、制御部５０によって処理された結果を表示する。正面表示部２２は、図１のａ方向に通過可能であるか否かを示すマークや図形、文字等を表示する。正面表示部２２の表示内容または表示の有無は、制御部５０によって決定される。なお、自動改札機１０は、音声や、光で情報を出力する情報出力部（不図示）を備えてもよい。この場合、制御部５０は、情報出力部を制御して、情報出力部に音声や光の点灯等によって情報を出力させる。
【００１７】
自動改札機１０の制御部５０は、扉部２４Ａおよび対向する補機の扉部２４Ｂを開放状態または閉止状態に制御することで、図１のａ方向に通過しようとしている利用者の通過を許可または禁止する。また、以下、扉部２４Ａおよび２４Ｂを区別しない場合は、ＡまたはＢの符号を省略し、単に扉部２４と表記する。
【００１８】
なお、図１では、自動改札機１０が紙券専用機であるものとして説明するが、自動改札機１０は、ＩＣカードおよび／または磁気券と、紙券との双方を処理可能な併用機であってもよい。また、自動改札機１０は、利用者の一方向の通過のみ許可するものに限らず、主機と従機を備えることによって、利用者の双方向の通過を許可するものであってもよい。
【００１９】
図３は、自動改札機１０の機能構成を示す図である。自動改札機１０の制御部５０は、改札機側記憶部５２と、第１画像認識部６０と、第２画像認識部６２と、許可判定部６６と、通過制御部７０とを含んでよいが、これに限られない。第１画像認識部６０、第２画像認識部６２、許可判定部６６、および通過制御部７０は、ＣＰＵ（Central Processing Unit）等のプロセッサがプログラムを実行することで実現されてよい。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。
【００２０】
改札機側記憶部５２は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部５２は、プロセッサが実行するプログラムや、各駅間（または利用距離ごと）の料金が記憶された料金テーブル５４を格納する他、自機が設置された駅の識別情報や、自機の識別情報、各駅間の距離等を格納する。
【００２１】
第１画像認識部６０は、光学読取部１４により撮像された画像から得られる電子情報に対してデコード等の処理を行い、ビット列などで表されるコンピュータが認識可能な情報に変換する。電子情報とは、例えば、画像の画素情報を配列化した情報である。第１画像認識部６０は、乗車券ＴＩＸの第１面に表示された第１の表示オブジェクトにエンコードされた効力情報の内容を読み取る。
【００２２】
図４は、乗車券ＴＩＸの第１面の一例を示す図である。乗車券ＴＩＸの第１面には、例えば、乗車券ＴＩＸの効力情報が符号化された第１の表示オブジェクトＯＢ１、区間情報（入場駅および出場駅や、利用可能な区間に対応する料金）、乗車券ＴＩＸの発行日時、および乗車券識別情報が印刷される。第１の表示オブジェクトＯＢ１は、例えば背景に比して光の反射率が低い色材で表現される。
【００２３】
乗車券ＴＩＸの効力情報とは、例えば、乗車券ＴＩＸが発行される度にインクリメント（あるいはデクリメント）される一連の番号（乗車券識別情報）と、区間情報と、乗車券ＴＩＸの発行日時を表す情報と、乗車券ＴＩＸが発行された発行駅を表す情報とを含む情報である。区間情報は、自機が設置された駅の識別情報および出場駅の識別情報を含んでもよいし、自機が設置された駅の識別情報および「Ｘ駅からＹ円区間」といった料金情報を含んでもよい。図５は、第１の表示オブジェクトＯＢ１に符号化された乗車券ＴＩＸの効力情報の一例を示す図である。なお、上述した効力情報に含まれる乗車券識別情報、乗車券ＴＩＸの発行日時を表す情報と、乗車券ＴＩＸが発行された発行駅を表す情報のうち一部または全部は省略されてもよい。
【００２４】
乗車券ＴＩＸの第１の表示オブジェクトＯＢ１が表示された第１面とは異なる面（反対側の面）である第２面には、第２の表示オブジェクトが表示される。また、第２面には、磁気層が形成されている。この磁気層には、例えば乗車券ＴＩＸの効力情報が符号化されている。
【００２５】
第２画像認識部６２は、光学読取部１４により撮像された画像に対してデコード等の処理を行い、ビット列などで表されるコンピュータが認識可能な情報に変換する。第２画像認識部６２は、第２の表示オブジェクトにエンコードされた情報であって、乗車券ＴＩＸの第２面が提示されたことを示す提示情報の内容を読み取る。なお、このような第１画像認識部６０または第２画像認識部６２が実行する画像認識の機能を、光学読取部１４が備えてもよい。
【００２６】
図６は、乗車券ＴＩＸの第２面の一例を示す図である。乗車券ＴＩＸの第２面には、例えば、提示情報が符号化された第２の表示オブジェクトＯＢ２が表示される。第２の表示オブジェクトＯＢ２は、例えば磁気層Ｍｇの上に付与された色材によって表現される。
【００２７】
第２の表示オブジェクトＯＢ２は、例えば背景である磁気層Ｍｇとは異なる光の反射率を有する色材で表現される。異なる光の反射率とは、第２画像認識部６２が、背景である磁気層Ｍｇと第２の表示オブジェクトＯＢ２とを二値化処理によって判別することができる程度の輝度差を生じさせる反射率である。第２の表示オブジェクトＯＢ２は、磁気層Ｍｇに比して光の反射率が高い色で表示される。また、第２の表示オブジェクトＯＢ２は、磁気層Ｍｇに記憶された情報を読み取る場合に磁気的な影響を生じさせないインク等で印刷または描画される。なお、第２の表示オブジェクトＯＢ２は、磁気層Ｍｇが積層されずに現れる乗車券ＴＩＸの地色で表示されてもよい。
【００２８】
また、第２の表示オブジェクトＯＢ２は、第１の表示オブジェクトＯＢ１とは異なる種類のオブジェクトである。例えば第１の表示オブジェクトＯＢ１が、ＱＲコード等の２次元コードである場合、第２の表示オブジェクトＯＢ２はバーコード等の１次元コードであることが好ましい。これにより、利用者が、第２の表示オブジェクトＯＢ２を、第１の表示オブジェクトＯＢ１と誤認識して自動改札機１０に提示してしまう可能性を低減することができる。
【００２９】
図７は、別の乗車券ＴＩＸ＃の第２面の一例を示す図である。乗車券ＴＩＸ＃の第１面には、乗車券ＴＩＸと同様に第１の表示オブジェクトＯＢ１や、乗車券識別情報、区間情報等が表示される（図４参照）。乗車券ＴＩＸ＃の第２面には、例えば、乗車券ＴＩＸと同様の提示情報が符号化された第２の表示オブジェクトＯＢ２＃が表示される。第２の表示オブジェクトＯＢ２＃は、例えば背景とは異なる光の反射率を有する色材で表現される。第２の表示オブジェクトＯＢ２＃の背景は、磁気層Ｍｇが形成されずに現れている乗車券ＴＩＸ＃の地色で表示されてもよいし、磁気層Ｍｇの上に背景色が印刷または描画されたものであってもよい。
【００３０】
異なる光の反射率とは、第２画像認識部６２が、背景と第２の表示オブジェクトＯＢ２＃とを二値化処理によって判別することができる程度の輝度差を生じさせる反射率である。第２の表示オブジェクトＯＢ２＃は、背景に比して光の反射率が低い色で表示される。また、背景が乗車券ＴＩＸ＃の地色でない場合の背景の色材は、磁気層Ｍｇに記憶された情報を読み取る場合に磁気的な影響を生じさせないインク等で印刷または描画される。
【００３１】
また、第２の表示オブジェクトＯＢ２＃の端部に隣接して、磁気層Ｍｇとは異なる光の反射率を有する色（例えば乗車券ＴＩＸ＃の地色）で表示された余白（空白部分；クワイエットゾーン）が設けられる。この余白は、第２の表示オブジェクトＯＢ２＃の第１基準点（始点Ｓ）の前を示す第１余白Ｑ１、および第２の表示オブジェクトＯＢ２＃の第２基準点（終点Ｆ）の後を示す第２余白Ｑ２である。第２画像認識部６２は、光学読取部１４により読み取られた画像から、第１余白Ｑ１および第２余白Ｑ２を認識し、第１余白Ｑ１および第２余白Ｑ２の間に存在する画像要素を認識した結果に基づいて、第２の表示オブジェクトＯＢ２＃を認識する。
【００３２】
図３に戻り、許可判定部６６は、第１画像認識部６０によって効力情報が取得された場合、効力情報に基づいて、乗車券ＴＩＸまたはＴＩＸ＃を提示した利用者の入場または出場を許可するか否かを判定する。許可判定部６６は、第２画像認識部６２によって第２の表示オブジェクトＯＢ２＃から提示情報が取得された場合、乗車券ＴＩＸ＃の第２の表示オブジェクトＯＢ＃が表示された面が提示されたことを示す提示情報を上面表示部２０に表示させる。
【００３３】
許可判定部６６は、第２画像認識部６２によって輝度の高低が反転された画像における第２の表示オブジェクトＯＢ２から提示情報が取得された場合、乗車券ＴＩＸの第２の表示オブジェクトＯＢ２が表示された面が提示されたことを示す提示情報を上面表示部２０に表示させる。
【００３４】
通過制御部７０は、許可判定部６６の判定結果に基づいて、利用者の通過を許可、または禁止する制御を実行する。また、通過制御部７０は、第１画像認識部６０によって第１の表示オブジェクトＯＢ１が認識されない場合、または第２画像認識部６２によって第２の表示オブジェクトＯＢ２またはＯＢ＃が認識されない場合、通過センサ１８により利用者が検出されると、利用者の通過を禁止する制御を行う。また、通過制御部７０は、第１画像認識部６０によって認識された第１の表示オブジェクトＯＢ１、または第２画像認識部６２によって第２の表示オブジェクトＯＢ２（ＯＢ＃）がデコードされない場合、通過センサ１８により利用者が検出されると、利用者の通過を禁止する制御を行う。利用者の通過を禁止する制御をする場合、通過制御部７０は、扉部２４を閉止状態にさせたり、上面表示部２０に通過を不許可とする表示をさせたりする。利用者の通過を許可する制御をする場合、通過制御部７０は、扉部２４を開放状態にしたり、上面表示部２０に通過を許可とする表示をさせたりする。
【００３５】
図８は、自動改札機１０により実行される処理の流れを示すフローチャートである。本フローチャートは出場駅に設置された自動改札機１０の処理の一例である。乗車券ＴＩＸまたは乗車券ＴＩＸ＃が利用者により利用される場合の処理の一例である。
【００３６】
まず、自動改札機１０が、何らかの物体がリーダ１２に提示されるまで待機する（ステップＳ１００）。何らかの物体がリーダ１２に提示されると、光学読取部１４が、ライト１６により乗車券ＴＩＸまたはＴＩＸ＃に光が照射された状態で、物体（利用者によりリーダ１２に提示された乗車券ＴＩＸまたはＴＩＸ＃）を撮像する（ステップＳ１０２）。次に、第１画像認識部６０および第２画像認識部６２が、ステップＳ１０２で撮像された画像を取得し、取得した画像をそれぞれ解析する（ステップＳ１０４）。
【００３７】
ここで、第１画像認識部６０は、二値化処理において、背景に対して反射率が低い部分を第１階調（黒）とし、背景を第１階調に比して輝度が高い第２階調（白）として認識し、第１階調の部分で第１の表示オブジェクトＯＢ１が表現されているものとして認識処理を行う。また、第２画像認識部６２は、二値化処理において、背景に対して反射率が低い部分を第１階調（黒）とし、背景を第１階調に比して輝度が高い第２階調（白）として認識し、第１階調の部分で第２の表示オブジェクトＯＢ２＃が表現されているものとして認識処理を行う。まず、第２画像認識部６２は、図７に示す乗車券ＴＩＸ＃の第２面に表示された第２の表示オブジェクトＯＢ２＃を認識しようとする。
【００３８】
次に、第１画像認識部６０は、ステップＳ１０４で解析した画像から、第１の表示オブジェクトＯＢ１が認識されたか否かを判定する（ステップＳ１０６）。第１の表示オブジェクトＯＢ１が認識されなかった場合、第２画像認識部６２が、ステップＳ１０４で解析した画像から、第２の表示オブジェクトＯＢ２＃が認識されたか否かを判定する（ステップＳ１０８）。第２の表示オブジェクトＯＢ２＃が認識された場合、許可判定部６６が、第１面を提示することを促す提示情報を上面表示部２０に表示させ（ステップＳ１１０）、ステップＳ１０６の処理に進む。図９は、上面表示部２０に表示される画像ＩＭの一例を示す図である。許可判定部６６が、提示情報を上面表示部２０に表示させることにより、利用者は乗車券ＴＩＸまたはＴＩＸ＃の第１の表示オブジェクトＯＢ１が表示された第１面がリーダ１２に提示されていないことを認識することができる。
【００３９】
第２の表示オブジェクトＯＢ２＃が認識されなかった場合、第２画像認識部６２が、ステップＳ１０２で撮像された画像の輝度の高低を反転させて、画像を解析する（ステップＳ１１２）。次に、第２画像認識部６２は、ステップＳ１１２で解析した画像から、第２の表示オブジェクトＯＢ２が認識されたか否かを判定する（ステップＳ１１４）。第２画像認識部６２は、二値化処理において、背景に対して反射率が高い第２の表示オブジェクトＯＢ２を第１階調（黒）とし、背景を第１階調に比して輝度が高い第２階調（白）として認識し、第１階調の部分で第２の表示オブジェクトＯＢ２が表現されているものとして認識処理を行う。第２画像認識部６２は、図６に示す乗車券ＴＩＸの第２面に表示された第２の表示オブジェクトＯＢ２を認識しようとする。第２画像認識部６２は、画像の輝度の高低を反転させて画像を解析することで、磁気層Ｍｇに比して光の反射率の高い色で表示された第２の表示オブジェクトＯＢ２を認識することができる。なお、第２画像認識部６２は、二値化処理を実行した後に、二値化した結果（黒と白とを示す情報）を反転させて、第２の表示オブジェクトＯＢ２を認識してもよい。
【００４０】
第２の表示オブジェクトＯＢ２が認識された場合、許可判定部６６が、第１面を提示することを促す情報を上面表示部２０に表示させる（ステップＳ１１０）。ステップＳ１１４で第２の表示オブジェクトＯＢ２が認識されなかった場合、ステップＳ１２０の処理に進む。
【００４１】
例えば第２画像認識部６２が、第２の表示オブジェクトＯＢ２またはＯＢ２＃を認識しようとする処理（ステップＳ１０８、Ｓ１１４）が無いと仮定すると、第２面を提示した利用者は、自動改札機１０の通路に進入してしまい、直ちにステップＳ１２０の処理に進み、扉部２４が閉止される。この場合、利用者は、自動改札機の通路から一旦退出しなければならない。
【００４２】
これに対し、本実施形態では、ステップＳ１１０で利用者に第１面を提示することを促した後、第１面の提示を受け付け可能な状態となるため、利用者は、直ちに乗車券ＴＩＸまたはＴＩＸ＃を裏返して第１面をリーダ１２に提示することで、速やかに通過可能となる。この結果、自動改札機１０は、自機付近で渋滞が発生することを抑制することができる。
【００４３】
ステップＳ１０６で第１の表示オブジェクトＯＢ１が認識された場合、許可判定部６６は、第１の表示オブジェクトＯＢ１にエンコードされた区間情報に基づいて、当該駅が区間情報の示す区間に収まっているか否を判定する（ステップＳ１１６）。当該駅とは、自動改札機１０が設置された駅のことである。当該駅が区間情報の示す区間に収まっている場合、許可判定部６６が、扉部２４を開放状態に制御する（ステップＳ１１８）。
【００４４】
当該駅が区間情報の示す区間に収まっていない場合、許可判定部６６が、利用者に精算処理を促すことを示す情報を上面表示部２０に表示させ、通過センサ１８により利用者が検出されると、扉部２４を閉止状態に制御する（ステップＳ１２０）。次に、許可判定部６６が、通過センサ１８の検出結果に基づいて、利用者が通路内に存在するか否かを判定する（ステップＳ１２２）。利用者が通路内に存在する場合、ステップＳ１２０の処理に戻り、利用者が通路内に存在しない場合、ステップＳ１１８の処理に進む。これにより本フローチャートの１ルーチンの処理は終了する。
【００４５】
なお、本実施形態では、一例として利用者が駅に入場した後に、駅から出場する場合の処理について説明したが、利用者が出発する駅に入場する場合についても、同様の処理を行ってもよい。例えばステップＳ１１６の処理において、許可判定部６６は、第１の表示オブジェクトＯＢ１にエンコードされた区間情報に基づいて、当該駅が入場駅であるか（区間情報の示す区間に収まっているか）否かを判定し、当該駅が入場駅である（区間情報の示す区間に収まっている）場合、扉部２４を開放状態に制御する。
【００４６】
また、本実施形態では、第２画像認識部６２が、撮像された画像の輝度の高低を反転させずに画像を解析して、第２の表示オブジェクトＯＢ２＃を認識しようとする処理（ステップＳ１０８）をした後に、撮像された画像の輝度の高低を反転させて画像を解析して、第２の表示オブジェクトＯＢ２を認識しようとする処理（ステップＳ１１４）を実行するものとしたが、第２画像認識部６２は、撮像された画像の輝度の高低を反転させて画像を解析して、第２の表示オブジェクトＯＢ２を認識しようとする処理（ステップＳ１１４）をした後に、撮像された画像の輝度の高低を反転させずに画像を解析して、第２の表示オブジェクトＯＢ２＃を認識しようとする処理（ステップＳ１０８）を実行してもよい。例えば、自動改札機１０は、乗車券ＴＩＸと乗車券ＴＩＸ＃の出現頻度（第２の表示オブジェクトＯＢとＯＢ＃の処理頻度）によって、撮像された画像の輝度の高低を反転させずに、第２の表示オブジェクトＯＢ２＃を認識しようと試行する処理（ステップＳ１０８）と、撮像された画像の輝度の高低を反転させて、第２の表示オブジェクトＯＢ２を認識しようと試行する処理（ステップＳ１１４）との順序を切り替えてもよい。
【００４７】
ここで、自動改札機に関しては、例えば磁気券専用の自動改札機や、磁気券を受付けずに表示オブジェクトを表示する紙券を受け付ける紙券専用の自動改札機、磁気券および紙券のいずれも受け付ける併用の自動改札機が存在する。例えば駅ごとに設置されている自動改札機が異なる場合、利用者が鉄道を利用する際に用いる乗車券については、いずれの駅でも受け付けが可能な乗車券が必要である。この場合、例えば乗車券の第１面には効力情報がエンコードされた第１の表示オブジェクトＯＢ１が表示され、且つ第２面には、磁気層Ｍｇが設けられ、この磁気層Ｍｇに効力情報が磁気情報として記憶される。
【００４８】
しかしながら、例えば利用者が紙券専用の自動改札機を利用する場合、利用者は、第２面を紙券専用機の光学読取部に提示してしまうと、自機の扉を閉止状態にして利用者の通過を禁止する。このとき、紙専用の自動改札機は、通過を禁止した原因を利用者に通知することがでなかったため、利用者の利便性が低い場合があった。
【００４９】
また、例えば第１の表示オブジェクトＯＢ１を乗車券の第１面および第２面に表示すると不正を誘発する可能性がある。例えば、１枚の乗車券が、第１面と第２面との境界で裂かれて、２つに分割される場合があるためである。従って、第１の表示オブジェクトＯＢ１を乗車券の第１面および第２面に表示させることは望ましくない。
【００５０】
これに対して、第１の実施形態における乗車券ＴＩＸまたはＴＩＸ＃の第１面には、第１の表示オブジェクトＯＢ１が表示され、第２面には、磁気層Ｍｇが設けられ、この磁気層Ｍｇに効力情報が磁気情報として記憶され、且つ第２面には第２の表示オブジェクトＯＢ２またはＯＢ＃が表示される。また、第１の実施形態の自動改札機１０は、光学読取部１４により撮像された画像から、第２画像認識部６２によって第２の表示オブジェクトＯＢ２またはＯＢ２＃にエンコードされた提示情報が取得された場合、第２面が提示されたことを示す情報を上面表示部２０に出力させることにより、第１面がリーダ１２に提示されていないことを利用者は認識することができる。この結果、利用者の利便性を向上させることができる。
【００５１】
以上説明した第１の実施形態によれば、許可判定部６６が、第２画像認識部６２によって提示情報が取得された場合、乗車券ＴＩＸまたはＴＩＸ＃の第２面が提示されたことを示す情報を上面表示部２０に表示させることにより、利用者の利便性を向上させることができる。
【００５２】
（第２の実施形態）
以下、第２の実施形態について説明する。ここでは、第１の実施形態との相違点を中心に説明し、第１の実施形態と共通する機能等についての説明は省略する。第１の実施形態では、第２画像認識部６２が、第２の表示オブジェクトＯＢ２およびＯＢ２＃を認識し、第２の表示オブジェクトＯＢおよびＯＢ＃から提示情報を取得するものとしたが、第２の実施形態では、第２画像認識部６２が、第２の表示オブジェクトＯＢ２＃を認識せずに、撮像された画像の輝度の高低を反転させて第２の表示オブジェクトＯＢ２を認識し、第２の表示オブジェクトＯＢから提示情報を取得する。
【００５３】
第２の実施形態の第２画像認識部６２は、第１画像認識部６０により第１の表示オブジェクトＯＢ１が認識されなかった場合、撮像された画像の輝度の高低を反転させる。第２画像認識部６２は、輝度の高低を反転させた画像を解析して、第２の表示オブジェクトＯＢ２を認識し、第２の表示オブジェクトＯＢ２から提示情報を取得する。
【００５４】
図１０は、第２の実施形態の自動改札機１０により実行される処理の流れを示すフローチャートである。本フローチャートは出場駅に設置された自動改札機１０の処理の一例である。
【００５５】
まず、自動改札機１０が、何らかの物体がリーダ１２に提示されるまで待機する（ステップＳ２００）。何らかの物体がリーダ１２に提示されると、光学読取部１４が、ライト１６により乗車券ＴＩＸに光が照射された状態で、物体（利用者によりリーダ１２に提示された乗車券ＴＩＸ）を撮像する（ステップＳ２０２）。次に、第１画像認識部６０が、ステップＳ２０２で撮像された画像を取得し、取得した画像を解析する（ステップＳ２０４）。
【００５６】
次に、第１画像認識部６０は、ステップＳ２０４で解析した画像から、第１の表示オブジェクトＯＢ１が認識されたか否かを判定する（ステップＳ２０６）。第１の表示オブジェクトＯＢ１が認識されなかった場合、第２画像認識部６２が、ステップＳ２０２で撮像された画像の輝度の高低を反転させて、画像を解析する（ステップＳ２０８）。
【００５７】
次に、第２画像認識部６２は、ステップＳ２０８で解析した画像から、第２の表示オブジェクトＯＢ２が認識されたか否かを判定する（ステップＳ２１０）。第２の表示オブジェクトＯＢ２が認識された場合、許可判定部６６が、第１面を提示することを促す提示情報を上面表示部２０に表示させる（ステップＳ２１２）。第２の表示オブジェクトＯＢ２が認識されなかった場合、ステップＳ２１８の処理に進む。
【００５８】
ステップＳ２０６で第１の表示オブジェクトＯＢ１が認識された場合、許可判定部６６は、第１の表示オブジェクトＯＢ１にエンコードされた区間情報に基づいて、当該駅が区間情報の示す区間に収まっているか否を判定する（ステップＳ２１４）。当該駅が区間情報の示す区間に収まっている場合、許可判定部６６が、扉部２４を開放状態に制御する（ステップＳ２１６）。
【００５９】
当該駅が区間情報の示す区間に収まっていない場合、許可判定部６６が、利用者に精算処理を促すことを示す情報を上面表示部２０に表示させ、通過センサ１８により利用者が検出されると、扉部２４を閉止状態に制御する（ステップＳ２１８）。次に、許可判定部６６が、通過センサ１８の検出結果に基づいて、利用者が通路内に存在するか否かを判定する（ステップＳ２２０）。利用者が通路内に存在する場合、ステップＳ２１８の処理に戻り、利用者が通路内に存在しない場合、ステップＳ２１６の処理に進む。これにより本フローチャートの１ルーチンの処理は終了する。
【００６０】
以上説明した第２の実施形態によれば、第２画像認識部６２が、撮像された画像の輝度の高低を反転させて、第２の表示オブジェクトＯＢ２を認識し、許可判定部６６が、第２画像認識部６２によって提示情報が取得された場合、乗車券ＴＩＸの第２面が提示されたことを示す情報を上面表示部２０に表示させることにより、利用者の利便性を向上させることができる。
【００６１】
（第３の実施形態）
以下、第３の実施形態について説明する。ここでは、第１の実施形態との相違点を中心に説明し、第１の実施形態と共通する機能等についての説明は省略する。第１の実施形態では、第２画像認識部６２が、画像の輝度の高低を反転させてＯＢ２を認識するものとしたが、第３の実施形態では、第２画像認識部６２は、画像の輝度の高低を反転させずに画像を解析して、第２の表示オブジェクトＯＢ２＃を認識する処理を実行する。
【００６２】
第２画像認識部６２は、第１画像認識部６０により第１の表示オブジェクトＯＢ１が認識されなかった場合、光学読取部１４により撮像された画像の輝度を反転させずに画像を解析して、第２の表示オブジェクトＯＢ２＃を認識することができるか否かを判定する。
【００６３】
図１１は、第３の実施形態の自動改札機１０により実行される処理の流れを示すフローチャートである。本フローチャートは出場駅に設置された自動改札機１０の処理の一例である。
【００６４】
まず、自動改札機１０が、何らかの物体がリーダ１２に提示されるまで待機する（ステップＳ３００）。何らかの物体がリーダ１２に提示されると、光学読取部１４が、ライト１６により乗車券ＴＩＸに光が照射された状態で、物体（利用者によりリーダ１２に提示された乗車券ＴＩＸ）を撮像する（ステップＳ３０２）。次に、第１画像認識部６０が、ステップＳ３０２で撮像された画像を取得し、取得した画像を解析する（ステップＳ３０４）。
【００６５】
次に、第１画像認識部６０は、ステップＳ３０４で解析した画像から、第１の表示オブジェクトＯＢ１が認識されたか否かを判定する（ステップＳ３０６）。第１の表示オブジェクトＯＢ１が認識されなかった場合、第２画像認識部６２が、ステップＳ３０６で解析した画像から、第２の表示オブジェクトＯＢ２＃が認識されたか否かを判定する（ステップＳ３０８）。
【００６６】
第２の表示オブジェクトＯＢ２＃が認識された場合、許可判定部６６が、第１面を提示すことを促す提示情報を上面表示部２０に表示させる（ステップＳ３１０）。第２の表示オブジェクトＯＢ２＃が認識されなかった場合、ステップＳ３１６の処理に進む。
【００６７】
ステップＳ３０６で第１の表示オブジェクトＯＢ１が認識された場合、許可判定部６６は、第１の表示オブジェクトＯＢ１にエンコードされた区間情報に基づいて、当該駅が区間情報の示す区間に収まっているか否を判定する（ステップＳ３１２）。当該駅が区間情報の示す区間に収まっている場合、許可判定部６６が、扉部２４を開放状態に制御する（ステップＳ３１４）。
【００６８】
当該駅が区間情報の示す区間に収まっていない場合、許可判定部６６が、利用者に精算処理を促すことを示す情報を上面表示部２０に表示させ、通過センサ１８により利用者が検出されると、扉部２４を閉止状態に制御する（ステップＳ３１６）。次に、許可判定部６６が、通過センサ１８の検出結果に基づいて、利用者が通路内に存在するか否かを判定する（ステップＳ３１８）。利用者が通路内に存在する場合、ステップＳ３１６の処理に戻り、利用者が通路内に存在しない場合、ステップＳ３１４の処理に進む。これにより本フローチャートの１ルーチンの処理は終了する。
【００６９】
以上説明した第３の実施形態によれば、第２画像認識部６２が、撮像された画像の輝度を反転させずに画像を解析して、第２の表示オブジェクトＯＢ２＃を認識し、許可判定部６６が、第２画像認識部６２によって提示情報が取得された場合、乗車券ＴＩＸ＃の第２面が提示されたことを示す情報を上面表示部２０に表示させることにより、利用者の利便性を向上させることができる。
【００７０】
（発券機）
以下、乗車券ＴＩＸを発行する発券機１００の説明を行う。本実施形態では、発券機１００が、乗車券ＴＩＸを発行する例について説明するが、発券機１００は、乗車券ＴＩＸ＃を発行するものであってもよい。図１２は、発券機１００の機能構成の一例を示す図である。発券機１００は、例えば、入力部１０２と、購入画面表示部１０４と、紙幣投入口１０８と、硬貨投入口１１０と、乗車券排出口１１２と、検銭部１１８と、ロール紙格納部１２０と、裁断部１２２と、乗車券発行部１２４と、発券機側制御部１３０と、発券機側記憶部１４０とを備える。
【００７１】
入力部１０２は、例えば、ボタン、キーボード、マウス、マイク、タッチパネル等のユーザインターフェースである。なお、購入画面表示部１０４がタッチパネルの場合、入力部１０２は、購入画面表示部１０４の一部機能であってもよい。入力部１０２は、例えば、利用者から、乗車券である乗車券ＴＩＸの購入を指示する入力を受け付ける。
【００７２】
購入画面表示部１０４は、例えば、ＬＣＤ（Liquid Crystal Display）や有機ＥＬ（Electroluminescence）ディスプレイなどの表示装置を含む。購入画面表示部１０４は、発券機側制御部１３０によって出力される情報に基づいて、乗車券ＴＩＸを購入するための画像を表示する。以下、購入画面表示部１０４を、上述した入力部１０２と機能が一体となったタッチパネル部と称して説明する。
【００７３】
検銭部１１８は、紙幣投入口１０８または硬貨投入口１１０に投入された金銭を計数し、計数結果を発券機側制御部１３０に出力する。
【００７４】
ロール紙格納部１２０には、ロール紙が格納される。図１３は、第２の表示オブジェクトＯＢ２が表示されたロール紙（乗車券用紙）Ｒの一例を示す図である。ロール紙Ｒは、
切断されることで乗車券ＴＩＸとなる乗車券用紙である。乗車券用紙の第１面には、乗車券ＴＩＸの効力情報が符号化された２次元の規則で形成された第１の表示オブジェクトＯＢ１が印刷される。第１面には、乗車券媒体単位で異なる第１の表示オブジェクトＯＢ１が印刷される。第１面とは異なる第２面には、乗車券ＴＩＸの効力情報が書き込まれる磁気層Ｍｇが形成される。また、第２面には、乗車券ＴＩＸの第２面が提示されたことを示す情報が符号化された１次元の規則で形成された第２の表示オブジェクトＯＢ２が、ロール紙Ｒの長手方向に沿って表示されている。この第２の表示オブジェクトＯＢ２は、例えば乗車券媒体単位を跨って表示される。なお、第２の表示オブジェクトＯＢ２は、乗車券ＴＩＸの磁気層Ｍｇとは異なる光の反射率を有する色材で表示されてもよいし、乗車券ＴＩＸの磁気層Ｍｇとは異なる光の反射率を有する色材を背景として磁気層Ｍｇまたは背景とは異なる光の反射率を有する色で表示されてもよい。
【００７５】
裁断部１２２は、第２の表示オブジェクトＯＢ２が表示されるロール紙Ｒを所定の大きさ（乗車券ＴＩＸの大きさ）に裁断する。
【００７６】
乗車券発行部１２４は、発券機側制御部１３０による制御によって、裁断部１２２により裁断されたロール紙Ｒの磁気層Ｍｇが形成された面とは反対の面（第１面）に第１の表示オブジェクトＯＢ１を画像として形成（印刷）する。また、乗車券発行部１２４は、第２面の磁気層Ｍｇに乗車券ＴＩＸの効力情報を磁気的に記憶させる。乗車券発行部１２４は、第１面に第１の表示オブジェトＯＢ１が印刷され、磁気層Ｍｇに効力情報が記憶され、且つ第２面に第２の表示オブジェクトＯＢ２が表示された乗車券ＴＩＸを乗車券排出口１１２から排出する。これによって、乗車券発行部１２４は、乗車券ＴＩＸを発行する。
【００７７】
発券機側制御部１３０は、例えば、発券機側通信部１３２と、発券機側表示制御部１３４と、発行制御部１３６とを備える。発券機側通信部１３２は、例えば発券機１００により処理された処理過程や処理結果をサーバ装置（不図示）に送信する。発券機側表示制御部１３４は、乗車券ＴＩＸの購入画面をタッチパネル部に表示させる。発行制御部１３６は、タッチパネル部に入力された、利用区間等に基づいて、乗車券ＴＩＸの発行に要する購入金額を算出する。なお、このとき発券機側表示制御部１３４は、発行制御部１３６によって算出された購入金額をタッチパネル部に表示させる。これによって、紙幣投入口１０８や硬貨投入口１１０には、これらに対応する貨幣が投入される。発行制御部１３６は、検銭部１１８による計数結果を参照し、算出した購入金額を満たすか否かを判定する。発行制御部１３６は、計数結果が購入金額を満たす場合、乗車券発行部１２４に乗車券ＴＩＸを発行させる。発券機側記憶部１４０は、プロセッサが実行するプログラムを格納する他、各駅間の運賃が記憶された発券機側運賃テーブル１４２を格納する。
【００７８】
以上説明した発券機１００は、乗車券ＴＩＸの効力情報が符号化された第１の表示オブジェクトＯＢ１が表示された第１面と、第１面とは異なる第２面であって、乗車券ＴＩＸに関する効力情報がエンコードされた磁気層Ｍｇが形成され、乗車券ＴＩＸの第２面が提示されたことを示す情報が符号化された第２の表示オブジェクトＯＢ２またはＯＢ２＃が表示された第２面とを備えることにより、容易に第２の表示オブジェクトＯＢ２またはＯＢ＃が表示された乗車券ＴＩＸを発行することができる。
【００７９】
（第１の実施形態から第３の実施形態に係る変形例）
以下、第１の実施形態から第３の実施形態に係る変形例について説明する。ここでは、第１の実施形態との相違点を中心に説明し、第１の実施形態と共通する機能等についての説明は省略する。第１の実施形態から第３の実施形態では、自動改札機１０が、第１の表示オブジェクトＯＢ１にエンコードされた効力情報に基づいて、利用者の入場または出場を許可することができるか否かを判定するものとした。これに対して、本実施形態では、サーバ装置２００が、自動改札機１０Ａにより取得された第１の表示オブジェクトＯＢ１から取得された効力情報（乗車券識別情報）に基づいて、利用者の入場または出場を許可することができるか否かを判定する。
【００８０】
図１４は、自動改札機１０Ａ、発券機１００およびサーバ装置２００の関係を示す図である。自動改札機１０Ａおよび発券機１００は、それぞれ中継装置ＲＬおよびネットワークＮＷを介してサーバ装置２００と通信する。なお、本実施形態の発券機１００は、サーバ装置２００と通信する通信部を備える。
【００８１】
中継装置ＲＬは、自動改札機１０Ａおよび発券機１００とＬＡＮ（Local Area Network）等のネットワークを介して通信を行う。また、中継装置ＲＬは、自動改札機１０Ａまたは発券機１００から受信した情報を、ネットワークＮＷを介してサーバ装置２００に送信する。また、中継装置ＲＬは、サーバ装置２００から受信した情報を自動改札機１０Ａに送信する。ネットワークＮＷは、例えば、ＬＡＮや、ＷＡＮ（Wide Area Network）等を含む。
【００８２】
サーバ装置２００は、サーバ側通信部２１０と、サーバ側記憶部２２０と、サーバ側許可判定部２３０を含んでもよいが、これに限られない。サーバ側通信部２１０は、自動改札機１０Ａの処理結果、自動改札機１０Ａが保持する情報（利用者により提示された乗車券ＴＩＸの効力情報）を自動改札機１０Ａから取得する。また、サーバ側通信部２１０は、発券機１００の処理結果、または発券機１００が保持する情報を発券機１００から取得する。
【００８３】
サーバ側記憶部２２０には、発券機１００および自動改札機１０Ａの処理結果が乗車券情報テーブルとして記憶されている。乗車券情報テーブルには、乗車券ＴＩＸの乗車券識別情報に対して、入場処理が行われた第１の表示オブジェクトＯＢ１であるか否かを示す情報、入場時刻、入場駅、出場処理が行われた第１の表示オブジェクトＯＢ１であるか否かを示す情報、発券機１００により発券された乗車券ＴＩＸに対応付けられた乗車券識別情報であるか否かを示す情報、および乗車券ＴＩＸの効力情報等が対応付けられている。
【００８４】
サーバ側許可判定部２３０は、乗車券情報テーブルを参照し、取得した乗車券識別情報が発券機１００により発行された乗車券ＴＩＸに対応付けられた乗車券識別情報であるか否かを判定する。また、サーバ側許可判定部２３０は、乗車券情報テーブルに記憶された区間情報に基づいて、取得した乗車券識別情報に対応付けられた乗車券ＴＩＸで入場可能または出場可能であるか否かを判定する。また、サーバ側許可判定部２３０は、取得した乗車券識別情報に対応付けられた乗車券ＴＩＸが入場処理で利用済の乗車券ＴＩＸであるか否か、または出場処理で利用済の乗車券ＴＩＸであるか否かを判定する。
【００８５】
サーバ側許可判定部２３０は、所定の条件を満たす場合、利用者の通過を許可する。所定の条件とは、例えば利用者の入場処理を行う場合、取得した乗車券識別情報が発券機１００により発行された乗車券ＴＩＸに対応付けられた乗車券識別情報であり、利用者が入場する駅が区間情報に示される区間に収まっており、且つ乗車券ＴＩＸが入場処理および出場処理で利用されていないことである。所定の条件とは、例えば利用者の出場処理を行う場合、取得した乗車券識別情報が発券機１００により発行された乗車券ＴＩＸに対応付けられた乗車券識別情報であり、利用者が出場する駅が区間情報に示される区間に収まっており、乗車券ＴＩＸが入場処理で利用され、且つ出場処理で利用されていないことである。サーバ装置２００は、サーバ側許可判定部２３０の判定結果を自動改札機１０Ａに送信する。
【００８６】
自動改札機１０Ａは、サーバ装置２００から送信された判定結果に基づいて、利用者の通過を許可する場合は、扉部２４を開放状態に制御し、利用者の通過を許可しない場合は、扉部２４を閉止状態に制御する。なお、許可判定部６６は、サーバ装置２００に利用者の入場または出場の許可についての判定を依頼した後、所定時間以内にサーバ装置２００から判定結果が返信されない場合、自機で利用者の入場または出場の許可について判定してもよい。また、本実施形態では、自動改札機１０Ａの許可判定部６６が、乗車券ＴＩＸの効力情報に基づいて、利用者の入場または出場を許可するか否かを判定する機能は省略されてもよい。
【００８７】
以上説明した第１の実施形態から第３の実施形態の変形例の自動改札機１０Ａは、第１の実施形態と同様に利用者の利便性を向上させることができる。
【００８８】
以上説明した少なくともひとつの実施形態によれば、利用者によって提示された乗車券を撮像する撮像部と、前記利用者に対して情報を出力する出力部と、前記撮像部により撮像された画像から、第１の表示オブジェクトを認識し、前記第１の表示オブジェクトから得られる電子情報を復号して前記乗車券の効力情報を取得する第１の認識部と、前記撮像部により撮像された画像から、前記乗車券における前記第１の表示オブジェクトが表示された第１面とは異なる第２面であって、磁気層が形成された前記第２面に表示された第２の表示オブジェクトを認識し、前記第２の表示オブジェクトから得られる電子情報を復号して前記第２面が提示されたことを示す第２面提示情報を取得する第２の認識部と、前記第１の認識部によって前記効力情報が取得された場合、前記第１の認識部により取得された前記効力情報に基づいて、前記利用者の入場または出場を許可するか否かを判定し、前記第２の認識部によって前記第２面提示情報が取得された場合、前記乗車券の第２面が提示されたことを示す情報を前記出力部に出力させる制御部とを持つことにより、利用者の利便性を向上させることができる。
【００８９】
上記説明した実施形態は、以下のように表現することができる。
利用者によって提示された乗車券を撮像する撮像部と、
前記利用者に対して情報を出力する出力部と、
前記撮像部により撮像された画像に第１の表示オブジェクトが含まれる場合、前記画像に含まれる第１の表示オブジェクトから取得される画素パターンを数値化したデータに対して復号処理を行って、前記乗車券の効力情報を取得する第１の認識部と、
前記撮像部により撮像された画像から、に第２の表示オブジェクトが含まれる場合、前記第２の表示オブジェクトが含まれる画像から、前記乗車券における、前記第１の表示オブジェクトが表示された第１面とは異なる第２面であって、磁気層が形成された前記第２面に表示された第２の表示オブジェクトを認識し、前記第２の表示オブジェクトから取得される画素パターンを数値化したデータに対して復号処理を行って、前記第２面が提示されたことを示す第２面提示情報を取得する第２の認識部と、
前記第１の認識部によって前記効力情報が取得された場合、前記第１の認識部により取得された前記効力情報に基づいて、前記利用者の入場または出場を許可するか否かを判定し、前記第２の認識部によって前記第２面提示情報が取得された場合、前記乗車券の第２面が提示されたことを示す情報を前記出力部に出力させる制御部と、
を備える自動改札機。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９１】
１０、１０Ａ…自動改札機、１２…リーダ、１４…光学読取部、２０…上面表示部、２４…扉部、５０…制御部、５２…改札機側記憶部、５４…料金テーブル、６０…第１画像認識部、６２…第２画像認識部、６６…許可判定部、７０…通過制御部、１００…発券機、１２４…乗車券発行部、１３０…発券機側制御部、２００…サーバ装置、２１０…サーバ側通信部、２２０…サーバ側記憶部、２３０…サーバ側許可判定部、ＴＩＸ…乗車券、ＯＢ１…第１の表示オブジェクト、ＯＢ２、ＯＢ２＃…第２の表示オブジェクト
【図１】
0006685778.tif 000002
【図２】
0006685778.tif 000003
【図３】
0006685778.tif 000004
【図４】
0006685778.tif 000005
【図５】
0006685778.tif 000006
【図６】
0006685778.tif 000007
【図７】
0006685778.tif 000008
【図８】
0006685778.tif 000009
【図９】
0006685778.tif 000010
【図１０】
0006685778.tif 000011
【図１１】
0006685778.tif 000012
【図１２】
0006685778.tif 000013
【図１３】
0006685778.tif 000014
【図１４】
0006685778.tif 000015